(57)【要約】      （修正有）【課題】シンプルな構造で、取付が容易で、球面パッドの取付や保守点検が簡単であると同時に、傾斜パッドと半円形パッド台金との隙間を調整することができ、機器装置の振動を減少させ、安定性を高めることができる新型傾斜パッド軸受を提供する。【解決手段】円筒形パッド台金１と傾斜パッド２を備えてなり、円環状に並んでいる、少なくともの四つの傾斜パッドが円筒形パッド台金に設けられており、傾斜パッドには円形凹孔とばね用スロットが設けられ、円形凹孔に嵌め込まれたスペースパッド３、円筒形パッド台金に調整孔とばね固定孔、円形凹孔と調整孔に嵌め込まれた球面パッド４を備えてなり、調整孔には、締付ナット６、緩止ナットが中から外へと順次にねじ締められ、前端部がばね用スロットに、後端部がばね固定孔に嵌め込まれたばね、ばね座金、平座金へと順次に差込んで、ばね固定孔にねじ締められている調整ボルトを備えてなる。【選択図】図１
0003192135.tif 000002
【実用新案登録請求の範囲】
【請求項１】
円筒形パッド台金（１）と傾斜パッド（２）を備えてなり、円環状に並んでいる、少なくともの四傾斜パッド（２）が円筒形パッド台金（１）に設けられており、該傾斜パッド（２）の外側壁の中間部に円形凹孔（２１）、円形凹孔（２１）の両側にばね用スロット（２２）が設けられ、円筒形パッド台金（１）には、円形凹孔（２１）に対応する調整孔（１１）、ばね用スロット（２２）  に対応するばね固定孔（１２）が設けられ、円形凹孔（２１）に嵌め込まれたスペースパッド（３）、円形凹孔（２１）と調整孔（１１）に嵌め込まれた球面パッド（４）を備えてなり、球面パッドは上部がスペースパッド（３）に押し付き、円形凹孔（２１）に嵌め込まれており、調整孔（１１）には、締付ナット（５）、緩止ナット（６）が中から外へと順次にねじ締められ、締付ナット（５）は調整孔（１１）に嵌め込まれた球面パッド（４）の下端部に、緩止ナット（６）は締付ナット（５）に当て付くように設けられており、  
前端部がばね用スロット（２２）に、後端部がばね固定孔（１２）  に嵌め込まれたばね（７）、ばね座金（９）、平座金（１０）へと順次に差込んで、ばね固定孔（１２）にねじ締められている調整ボルト（８）を備えてなり、ばね（７）の一端部は傾斜パッド（２）に、他端部は調整ボルト（８）に当接していることを特徴とする新型傾斜パッド軸受。
【請求項２】
前記傾斜パッド（２）の外側壁にはＶ形溝（２３）が設けられ、丸鋼（２４）はＶ形溝（２３）に差し込み、Ｖ形溝（２３）の側壁及び円筒形パッド台金（１）の内側壁との間に挟まれていることを特徴とする請求項１に記載の新型傾斜パッド軸受。
【請求項３】
前記円筒形パッド台金（１）は、二半円形パッド台金（１３）の両端がねじ（１４）で接続固定されていることを特徴とする請求項１または２に記載の新型傾斜パッド軸受。
【請求項４】
前記一つの該半円形パッド台金（１３）は一調節凹孔（１３１）、もう一つの半円形パッド台金（１３）は二調節凹孔（１３１）が設置、三つの調節凹孔（１３１）は、円筒形パッド台金（１）  の軸方向中心線を中心として均等に配置され、調整座金（１４）と調整パッド（１５）は順次に、調節凹孔（１３１）に嵌め込まれ、固定ボルト（１６）は順次に、調整パッド（１５）と調整座金（１４）に差し込んで、調節凹孔（１３１）の底面にねじ締められており、調整座金（１４）は調節凹孔（１３１）の底面に当て付き、調整パッド（１５）は調整座金（１４）と固定ボルト（１６）との間に挟まれていることを特徴とする請求項３に記載の新型傾斜パッド軸受。
【請求項５】
前記傾斜パッド（２）の外側壁両側の中間部には固定用ねじ孔（２４）、半円形パッド台金（１３）の上には固定用ねじ孔（２４）に対応するための固定孔（１３２）、固定孔（１３２）の下端部にはめねじが設けられ、ねじプラグ（１７）は固定孔（１３２）の下端部にねじ締められていることを特徴とする請求項３に記載の新型傾斜パッド軸受。
【請求項６】
前記球面パッド（４）は、上部が球面をしている球面ブロック（４１）、球面ブロック（４１）の下端部に設けられた円筒形突起物（４２）を備えてなり、円筒形突起物（４２）の直径は球面ブロック（４１）の直径より小さく設けられていることを特徴とする請求項３に記載の新型傾斜パッド軸受。
【請求項７】
前記半円形パッド台金（１３）には調整孔（１１）があり、調整孔（１１）は通孔部（１１１）、中間部（１１２）とねじ穴部（１１３）を備えてなり、通孔部（１１１）の直径は中間部（１１２）より大きく、ねじ穴部（１１３）の直径は中間部（１１２）より大きく、そして通孔部（１１１）より小さく設けられ、通孔部（１１１）は調整孔（１１）の上端にあり、中間部（１１２）の前端は通孔部（１１１）に、中間部（１１２）の後端はねじ穴部（１１３）に、ねじ穴部（１１３）は外部に通じるように設けられ、球面ブロック（４１）の前部は円形凹孔（２１）に、球面ブロック（４１）の後部は通孔部（１１１）に、円筒形突起物（２１）は中間部（１１２）に嵌め込まれ、締付ナット（５）と緩止ナット（６）は順次に、ねじ穴部（１１３）へと締め付けられていることを特徴とする請求項６に記載の新型傾斜パッド軸受。
【請求項８】
前記半円形パッド台金（１３）にはばね固定孔（１２）があり、ばね固定孔（１２）は第一通孔部（１２１）、中間階段部（１２２）、めねじ部（１２３）と第二通孔部（１２４）を備えてなり、第一通孔部（１２１）はばね固定孔（１２）の上端にあり、中間階段部（１２２）の一端は第一通孔部（１２１）に、他端はめねじ部（１２３）に、めねじ部（１２３）は第二通孔部（１２４）に、第二通孔部（１２４）は外部に通じるように設けられ、第二通孔部（１２４）の直径は中間階段部（１２２）の直径より大きく、中間階段部（１２２）の直径はめねじ部（１２３）の直径より大きく、めねじ部（１２３）の直径は第一通孔部（１２１）直径より大きく設けられており、
ばね（７）の後端部が第一通孔部（１２１）に差し込み、調整ボルト（８）はばね座金（９）、平座金（１０）へと順次に差し込んで、めねじ部（１２３）にねじ締められており、調整ボルト（８）の上部はばね（７）に当て付き、中間階段部（１２２）に差し込まれ、調整ボルト（８）の頭部、ばね座金（９）と平座金（１０）は第二通孔部（１２４）に嵌め込まれていることを特徴とする請求項３に記載の新型傾斜パッド軸受。
【考案の詳細な説明】
【技術分野】
【０００１】
本考案は、転がり軸受の技術分野に関わり、もっと具体的に言えば、新型傾斜パッド軸受に関する。
【背景技術】
【０００２】
今日、蒸気タービン、タービン、遠心式圧縮機、発電機、励磁機などのハイスピード、ハイパワーの機器の発展に伴い、高安定度の傾斜パッド軸が次第に広く普及されている。
【０００３】
傾斜パッド軸受は、各パッドが作用点を回して、小さく揺れ動くように設けられ、それによって、適当な作業位置に対応し、各パッドに油のくさび効果を持たせるように設けられており、パッドと軸首に形成される油のくさび効果は、稼動パラメーター（負荷、速度、潤滑油の粘度など）により、自動的に調整できることから、各パッドに生じられた油膜力が支点と軸頚中心を通るように設けられ、すなわち、常に外部荷重を一点に集中するように設けられており、そうすると、軸頚を渦動させる接線分力が生じなくなる。軸受は稼動中、潤滑油膜の流れの力によって、パッド面や軸頚表面との間に油のくさびが形成され、この二表面が完全に接触せず、よりよい安定度が得られ、油膜による振動の発生を完全に避けることができる。
【０００４】
安定性、負荷能力とエネルギー消費量、温度上昇などの性能から言えば、全てのラジアル軸受（三油くさび、四油くさび、楕円形軸受、円筒形軸受を含み）で、最も優れたものとして挙げられるのは傾斜パッド軸受であるが、その構造が複雑、加工や取付、保守点検が面倒なのは主な欠点である。経験から言えば、傾斜パッドの保守点検は一般的に、パッド合金の磨耗がひどく、パッドの取替えを行う場合にあるが、その取替えが難しいこと、そして、球面パッドに磨耗やひびがあったとき、新しいスペースパッドに交換したり、装置の振動が大きく、パッドの中心位置を大幅に調整したりすることになるため、そこで、構造の合理的な設計を十分に考慮して行ってはならない。
【０００５】
従来の傾斜パッド軸受のばねは、一端が傾斜パッドに、他端がパッド台金に当接しており、自由長が傾斜パッドとパッド台金におけるばねの取付けに供するための深さよりも長いから、取り付けや保守点検、取付け直しが困難なため、ばねリングに仮軸を差し込んで支持するように作業するが、発電所の取付現場では、そのような工具設備が設置されているとは限らず、それで、コストの増加や作業の不便さが発生すると思われる。
【考案の概要】
【考案が解決しようとする課題】
【０００６】
本考案は、従来の技術の不足さを改善するため、シンプルな構造で、取付も簡単、球面パッドの取付や保守点検が簡単であると同時に、傾斜パッドと半円形パッド台金との隙間を調整することができるように設けられ、傾斜パッドと半円形パッド台金との隙間が一致するように調整可能、ばねはどれも、振動低減効果を持っているもので、機器装置の振動を減少させ、安定性を高めると同時に、傾斜パッドを軸頚に当て付けるように、油くさびを得られるように設けられている新型傾斜パッド軸受を提供することを目的とする。
【課題を解決するための手段】
【０００７】
本考案の課題を解決するための技術手段として、円筒形パッド台金と傾斜パッドを備えてなり、円環状に並んでいる、少なくともの四傾斜パッドが円筒形パッド台金に設けられており、該傾斜パッドの外側壁の中間部に円形凹孔、円形凹孔の両側にばね用スロットが設けられ、円筒形パッド台金には、円形凹孔に対応する調整孔、ばね用スロットに対応するばね固定孔が設けられ、円形凹孔に嵌め込まれたスペースパッド、円形凹孔と調整孔に嵌め込まれた球面パッドを備えてなり、球面パッドは上部がスペースパッドに押し付き、円形凹孔に嵌め込まれており、調整孔には、締付ナット、緩止ナットが中から外へと順次にねじ締められ、締付ナットは調整孔に嵌め込まれた球面パッドの下端部に、緩止ナットは締付ナットに当て付くように設けられており、前端部がばね用スロットに、後端部がばね固定孔に嵌め込まれたばね、ばね座金、平座金へと順次に差込んで、ばね固定孔にねじ締められている調整ボルトを備えてなり、ばねの一端部は傾斜パッドに、他端部は調整ボルトに当接していることを特徴とする新型傾斜パッド軸受。
【０００８】
該傾斜パッドの外側壁にはＶ形溝が設けられ、丸鋼はＶ形溝に差し込み、Ｖ形溝の側壁及び円筒形パッド台金の内側壁との間に挟まれていることを特徴とする。
【０００９】
円筒形パッド台金は、二半円形パッド台金の両端がねじで接続固定されていることを特徴とする。
【００１０】
一つの該半円形パッド台金は一調節凹孔、もう一つの半円形パッド台金は二調節凹孔が設置、三つの調節凹孔は、円筒形パッド台金の軸方向中心線を中心として均等に配置され、調整座金と調整パッドは順次に、調節凹孔に嵌め込まれ、固定ボルトは順次に、調整パッドと調整座金に差し込んで、調節凹孔の底面にねじ締められており、調整座金は調節凹孔の底面に当て付き、調整パッドは調整座金と固定ボルトとの間に挟まれていることを特徴とする。
【００１１】
該傾斜パッドの外側壁両側の中間部には固定用ねじ孔、半円形パッド台金の上には固定用ねじ孔に対応するための固定孔、固定孔の下端部にはめねじが設けられ、ねじプラグは固定孔の下端部にねじ締められていることを特徴とする。
【００１２】
該球面パッドは、上部が球面をしている球面ブロック、球面ブロックの下端部に設けられた円筒形突起物を備えてなり、円筒形突起物の直径は球面ブロックの直径より小さく設けられていることを特徴とする。
【００１３】
該半円形パッド台金には調整孔があり、調整孔は通孔部、中間部とねじ穴部を備えてなり、通孔部の直径は中間部より大きく、ねじ穴部の直径は中間部より大きく、そして通孔部より小さく設けられ、通孔部は調整孔の上端にあり、中間部の前端は通孔部に、中間部の後端はねじ穴部に、ねじ穴部は外部に通じるように設けられ、球面ブロックの前部は円形凹孔に、球面ブロックの後部は通孔部に、円筒形突起物は中間部に嵌め込まれ、締付ナットと緩止ナットは順次に、ねじ穴部へと締め付けられていることを特徴とする。
【００１４】
該半円形パッド台金にはばね固定孔があり、ばね固定孔は包括第一通孔部、中間階段部、めねじ部と第二通孔部を備えてなり、第一通孔部はばね固定孔の上端にあり、中間階段部の一端は第一通孔部に、他端はめねじ部に、めねじ部は第二通孔部に、第二通孔部は外部に通じるように設けられ、第二通孔部の直径は中間階段部の直径より大きく、中間階段部の直径はめねじ部の直径より大きく、めねじ部の直径は第一通孔部直径より大きく設けられており、ばねの後端部が第一通孔部に差し込み、調整ボルトはばね座金、平座金へと順次に差し込んで、めねじ部にねじ締められており、調整ボルトの上部はばねに当て付き、中間階段部に差し込まれ、調整ボルトの頭部、ばね座金と平座金は第二通孔部に嵌め込まれていることを特徴とする。
【考案の効果】
【００１５】
本考案による顕著な効果は次の通り。
１．本考案は従来の技術に対して、丸鋼がＶ形溝に差し込まれており、そうすると、傾斜パッドと半円形パッド台金との隙間を簡単に調整できるようになり、決まった隙間を保つことができること。
【００１６】
２．ばねによって、傾斜パッドを軸頚に当て付けるように、油くさびを得られると同時に、振動低減効果を持っており、機器装置の振動を減少させ、安定性を高めることができること。
【００１７】
３．球面パッドの交換が簡単に行われ、締付ナットと緩止ナットを取り外して、球面パッドの検査や交換を素早く行うことができること。
【００１８】
４．傾斜パッドは球面パッドによって調整できるので、加工中、パッドの両端の隙間が一致し、内面研磨加工後の合金を均一な厚さにすることができ、それと同時に、取付の時、球面パッドを利用して、軸と傾斜パッドとの間に必要な隙間を保つことができること。
【００１９】
５．ばねの取り付けが簡単で、ばねの前端部を直接にばね用スロットに、その後端部をばね固定孔に嵌め込んで、調整ボルトをばね座金と平座金へと順次に差込み、ばね固定孔にねじ締めることになっており、特別な工具設備は不要、取付効率が向上すること。
【００２０】
６．締付ナットと緩止ナット、調整ボルトへの調整を行って、傾斜パッドに形成されたパッドの中心線を調整することができ、パッドの中心線を簡単ですばやく見つけることができること。
【図面の簡単な説明】
【００２１】
【図１】本考案の構造イメージ図である。
【図２】図１の局所の拡大図である。
【図３】接続ボルトを取り外して、ねじプラグを取り付けた場合の図１のＥ−Ｅ断面図である。
【図４】図１のもう一つの局所の拡大図である。
【考案を実施するための形態】
【００２２】
図１と図４に示すように、本実施例は、円筒形パッド台金１と傾斜パッド２を備えてなり、円環状に並んでいる、少なくともの四傾斜パッド２が円筒形パッド台金１に設けられており、該傾斜パッド２の外側壁の中間部に円形凹孔２１、円形凹孔２１の両側に二ばね用スロット２２が設けられ、円筒形パッド台金１には、円形凹孔２１に対応する調整孔１１、ばね用スロット２２に対応するばね固定孔１２が設けられ、円形凹孔２１に嵌め込まれたスペースパッド３、円形凹孔２１と調整孔１１に嵌め込まれた球面パッド４を備えてなり、球面パッドは上部がスペースパッド３に押し付き、円形凹孔２１に嵌め込まれており、調整孔１１には、締付ナット５、緩止ナット６が中から外へと順次にねじ締められ、締付ナット５は調整孔１１に嵌め込まれた球面パッド４の下端部に、緩止ナット６は締付ナット５に当て付くように設けられており、傾斜パッド２と軸との接触する表面には、バビットメタルライニング２００が張られていることを特徴とする新型傾斜パッド軸受。
【００２３】
前端部がばね用スロット２２に、後端部がばね固定孔１２に嵌め込まれたばね７、ばね座金９、平座金１０へと順次に差込んで、ばね固定孔１２にねじ締められている調整ボルト８を備えてなり、ばね７の一端部は傾斜パッド２に、他端部は調整ボルト８に当接している。
【００２４】
該傾斜パッド２の外側壁にはＶ形溝２３が設けられ、丸鋼２４はＶ形溝２３に差し込み、Ｖ形溝２３の側壁及び円筒形パッド台金１の内側壁との間に挟まれている。
【００２５】
円筒形パッド台金１は、二半円形パッド台金１３の両端がねじ１４で接続固定されている。
【００２６】
一つの該半円形パッド台金１３は一調節凹孔１３１、もう一つの半円形パッド台金１３は二調節凹孔１３１が設置、三つの調節凹孔１３１は、円筒形パッド台金１の軸方向中心線を中心として均等に配置され、調整座金１４と調整パッド１５は順次に、調節凹孔１３１に嵌め込まれ、固定ボルト１６は順次に、調整パッド１５と調整座金１４に差し込んで、調節凹孔１３１の底面にねじ締められており、調整座金１４は調節凹孔１３１の底面に当て付き、調整パッド１５は調整座金１４と固定ボルト１６との間に挟まれ、調整パッド１５の外側壁は軸受台に当て付く（図示せず）ように設けられており、三つの調整パッド１５と調整座金１４への調整を行って、円筒形パッド台金１と軸受台との隙間を調整することができ、円筒形パッド台金１と軸受台との間に嵌り締めを形成する。
【００２７】
該傾斜パッド２の外側壁両側の中間部にそれぞれ固定用ねじ孔２４、半円形パッド台金１３の上に固定用ねじ孔２４に対応するための固定孔１３２、固定孔１３２の下端部にはめねじが設けられ、ねじプラグ１７は固定孔１３２の下端部にねじ締められており、取付の時、まず、接続ボルト１００を固定孔１３２に差し込んで、固定用ねじ孔２４にねじ締めるようにするが、装置を開けるとき、八個の接続ボルト１００を取り外し、ねじプラグ１７を固定孔１３２の下端部にねじ締めるが、そうすると、潤滑油が各傾斜パッド２の間の隙間から軸受へ流れ込み、軸受両端のオイルシールリングの開孔から排出することになり、固定孔１３２からの油漏は発生しない。
該球面パッド４は、上部が球面をしている球面ブロック４１、球面ブロック４１の下端部に設けられた円筒形突起物４２を備えてなり、円筒形突起物４２の直径は球面ブロック４１の直径より小さく設けられている。
【００２８】
該半円形パッド台金１３には調整孔１１があり、調整孔１１は通孔部１１１、中間部１１２とねじ穴部１１３を備えてなり、通孔部１１１の直径は中間部１１２より大きく、ねじ穴部１１３の直径は中間部１１２より大きく、そして通孔部１１１より小さく設けられ、通孔部１１１は調整孔１１の上端にあり、中間部１１２の前端は通孔部１１１に、中間部１１２の後端はねじ穴部１１３に、ねじ穴部１１３は外部に通じるように設けられ、球面ブロック４１の前部は円形凹孔２１に、球面ブロック４１の後部は通孔部１１１に、円筒形突起物２１は中間部１１２に嵌め込まれ、締付ナット５と緩止ナット６は順次に、ねじ穴部１１３へと締め付けられている。
【００２９】
該半円形パッド台金１３にはばね固定孔１２があり、ばね固定孔１２は第一通孔部１２１、中間階段部１２２、めねじ部１２３と第二通孔部１２４を備えてなり、第一通孔部１２１はばね固定孔１２の上端にあり、中間階段部１２２の一端は第一通孔部１２１に、他端はめねじ部１２３に、めねじ部１２３は第二通孔部１２４に、第二通孔部１２４は外部に通じるように設けられ、第二通孔部１２４の直径は中間階段部１２２の直径より大きく、中間階段部１２２の直径はめねじ部１２３の直径より大きく、めねじ部１２３の直径は第一通孔部１２１直径より大きく設けられており、ばね７の後端部が第一通孔部１２１に差し込み、調整ボルト８はばね座金９、平座金１０へと順次に差し込んで、めねじ部１２３にねじ締められており、調整ボルト８の上部はばね７に当て付き、中間階段部１２２に差し込まれ、調整ボルト８の頭部、ばね座金９と平座金１０は第二通孔部１２４に嵌め込まれている。
【００３０】
調整ボルト８への調整を行い、ばね７の傾斜パッド２への圧力を調整することができ、更に、傾斜パッド２の軸頚へのプレス力を調整することができる。
【００３１】
動作原理として、本考案を軸に取り付ければ、潤滑油が半円形パッド台金１３にある注油孔へ流れ込んで、各傾斜パッド２の間の隙間から軸受へと流れ込み、更に軸受両端のオイルシールリングの開孔から排出されることになっている。
【符号の説明】
【００３２】
1      円筒形パッド台金
2      傾斜パッド
3      嵌め込まれたスペースパッド
4      球面パッド
5      締付ナット
6      緩止ナット
7      ばね
8      調整ボルト
9      ばね座金
10      平座金
11      調整孔
12      固定孔
13      半円形パッド台金
14      調整座金
15      調整パッド
16      固定ボルト
17      ねじプラグ
21      円形凹孔
22      両側にばね用スロット
23      Ｖ形溝
24      丸鋼
41      球面ブロック
42      円筒形突起物
111    通孔部
112    中間部
113    ねじ穴部
121    第一通孔部
122    中間階段部
123    めねじ部
124    第二通孔部
131    調節凹孔
132    固定孔
【図１】
0003192135.tif 000003
【図２】
0003192135.tif 000004
【図３】
0003192135.tif 000005
【図４】
0003192135.tif 000006
【手続補正書】
【提出日】平成26年6月4日(2014.6.4)
【手続補正１】
【補正対象書類名】実用新案登録請求の範囲
【補正対象項目名】請求項１
【補正方法】変更
【補正の内容】
【請求項１】
円筒形パッド台金（１）と傾斜パッド（２）を備えてなり、円環状に並んでいる、少なくともの四つの傾斜パッド（２）が円筒形パッド台金（１）に設けられており、該傾斜パッド（２）の外側壁の中間部に円形凹孔（２１）、円形凹孔（２１）の両側にばね用スロット（２２）が設けられ、円筒形パッド台金（１）には、円形凹孔（２１）に対応する調整孔（１１）、ばね用スロット（２２）に対応するばね固定孔（１２）が設けられ、円形凹孔（２１）に嵌め込まれたスペースパッド（３）、円形凹孔（２１）と調整孔（１１）に嵌め込まれた球面パッド（４）を備えてなり、球面パッドは上部がスペースパッド（３）に押し付き、円形凹孔（２１）に嵌め込まれており、調整孔（１１）には、締付ナット（５）、緩止ナット（６）が中から外へと順次にねじ締められ、締付ナット（５）は調整孔（１１）に嵌め込まれた球面パッド（４）の下端部に、緩止ナット（６）は締付ナット（５）に当て付くように設けられており、前端部がばね用スロット（２２）に、後端部がばね固定孔（１２）に嵌め込まれたばね（７）、ばね座金（９）、平座金（１０）へと順次に差込んで、ばね固定孔（１２）にねじ締められている調整ボルト（８）を備えてなり、ばね（７）の一端部は傾斜パッド（２）に、他端部は調整ボルト（８）に当接していることを特徴とする新型傾斜パッド軸受。
【手続補正２】
【補正対象書類名】実用新案登録請求の範囲
【補正対象項目名】請求項３
【補正方法】変更
【補正の内容】
【請求項３】
前記円筒形パッド台金（１）は、二つの半円形パッド台金（１３）の両端がねじ（１４）で接続固定されていることを特徴とする請求項１または２に記載の新型傾斜パッド軸受。
【手続補正３】
【補正対象書類名】実用新案登録請求の範囲
【補正対象項目名】請求項４
【補正方法】変更
【補正の内容】
【請求項４】
前記一つの該半円形パッド台金（１３）は一つの調節凹孔（１３１）が、もう一つの半円形パッド台金（１３）は二つの調節凹孔（１３１）が設置され、これら三つの調節凹孔（１３１）は、円筒形パッド台金（１）  の軸方向中心線を中心として均等に配置され、調整座金（１４）と調整パッド（１５）は順次に、調節凹孔（１３１）に嵌め込まれ、固定ボルト（１６）は順次に、調整パッド（１５）と調整座金（１４）に差し込んで、調節凹孔（１３１）の底面にねじ締められており、調整座金（１４）は調節凹孔（１３１）の底面に当て付き、調整パッド（１５）は調整座金（１４）と固定ボルト（１６）との間に挟まれていることを特徴とする請求項３に記載の新型傾斜パッド軸受。